(57)【要約】【課題】  配管内部の流体を管外に排出するために設けられた継手接続管と、該継手接続管を密栓する止水栓で、継手接続管への止水栓のつけ外しが簡単で、止水栓が継手接続管から不用意に脱落せず、栓の開閉が外観から判別でき、流体排出の効率が良いものを提供する。【解決手段】  継手接続管の水抜き管外周に、凸部と両端がクサビ形状に形成されたリード溝を設け、止水栓には可撓性があり先端同士がリングにてつながれた腕部を形成、リング内周には凸部と、前記リード溝内に係止する、側面がクサビ状に形成された係止部を形成し、さらに止水栓の軸部の断面積は水抜き管内側の断面積より小さいサイズに形成、軸部付根部分には溝を形成し、該溝に密栓用のＯリングを配した。【選択図】  図３
2006029411.tif 000002
【特許請求の範囲】
【請求項１】
熱源機システム等に使用される、外部から供給される水や温水、不凍液、流体熱媒または蒸気等の流体を通す管と管を接続する継手接続管と、該継手接続管内部の流体を外部へと出す目的で、継手接続管と一体に（ひと続きに）形成された水抜き管に使用し、水抜き管内を密栓状態にするための止水栓で、かつ、該止水栓には継手接続管に取り付けるための係止部を一つまたは複数箇所形成した可撓性のある腕部を一つまたは複数箇所形成し、該係止部が水抜き管外周に一つまたは複数形成したリード溝に係止することにより該止水栓が水抜き管内に保持され、該リード溝は止水栓が小回転で水抜き管内を閉栓・開栓状態にすることが可能なようにリード角を大きく取ってあり、該リード溝の両端と、前記止水栓の係止部の端は互いに係止し合うクサビ形状に形成したことを特徴とする止水栓と該止水栓を備えた継手接続管。
【請求項２】
前記止水栓の腕部先端には、該腕部と一体に可撓性のあるリングが腕部と腕部をつないで形成されており、継手接続管の水抜き管外周と該止水栓のリング内側にはそれぞれ凸部を一つまたは複数形成し、止水栓の開閉作業時に該止水栓のツマミ部を手で持って回転させると、止水栓の凸部が水抜き管の凸部を乗り越えて作業者の手にクリック感を感じさせ、止水栓が水抜き管を密栓している際は、前記水抜き管外周の凸部が止水栓のリング内周に当たるためリングが撓まない形状であり、リング外周の、係止部から９０度程度離れた部分を手などでリング中央方向へ向けて押すとリングが撓み、係止部がリード溝から離れるよう形成したことを特徴とした、請求項１に記載の止水栓と該止水栓を備えた継手接続管。
【請求項３】
前記止水栓の軸部の、前記水抜き管内に保持される部分の、水抜き管の長手方向に対して垂直断面の断面積を、水抜き管の内部空間の断面積よりも小さいサイズに形成し、止水栓軸部の付根部分では水抜き管内側を密に閉栓状態にするサイズに形成され、前記水抜き管から止水栓を完全に外さずとも、少しずらすだけで管内部の流体を排出することが可能であることを特徴とする請求項１または２に記載の継手接続管。
【請求項４】
前記止水栓軸部の水抜き管内に保持される先端側は、断面が略十字型の柱状もしくは円柱に一箇所以上の空間を設けたすり割り形状に形成したことを特徴とする請求項１、２または３に記載の継手接続管。
【請求項５】
前記止水栓には、止水栓の軸部と一体にツマミ部が形成されており、該ツマミ部には一般の工具と嵌合する形状に外形、または軸部中心部分に凹部や溝等が形成され、かつ、ツマミ部からツマミ部の外周方向へ延設された指掛け部も形成され、該指掛け部の位置が止水栓の密栓・開栓状態によって角度が変わることを特徴とする、請求項１〜４のいずれかに記載の止水栓と該止水栓を備えた継手接続管。
【請求項６】
前記止水栓の軸付根部分には、前記水抜き管に取り付けた際に水抜き管を密栓状態にするためのＯリングが配されており、該Ｏリングの取り付け位置は、止水栓が水抜き管を密栓している場合はＯリングが目視できず、止水栓が開栓状態にある場合はＯリングが目視できる位置であり、かつ、Ｏリングの取り付け位置には底部に深溝を備えた、該Ｏリングの厚さより僅かに大きいサイズの溝を形成したことを特徴とした、請求項１〜５のいずれかに記載の止水栓と該止水栓を備えた継手接続管。
【請求項７】
前記水抜き管外周の、リード溝の溝終わり部分から該溝を延長した先を、リード溝途中につなげて形成し、前記止水栓を閉栓するために回しすぎた時に、前記止水栓の係止部がリード溝から外れないことを特徴とした請求項１〜６のいずれかに記載の止水栓と該止水栓を備えた継手接続管。
【発明の詳細な説明】
【技術分野】
【０００１】
本発明は給水・給湯や床暖房等の設備機器に使用する、継手接続管用止水栓と該止水栓を備えた継手接続管に係り、特に、外部から供給された水などの液体、不凍液、流体熱媒または蒸気等の流体（以下流体という）を任意の配管に供給する継手接続管で、該配管内部の流体を管の外部に出すために設けられる継手接続管用止水栓と該止水栓を備えた継手接続管に関する。
【背景技術】
【０００２】
寒冷時に各種の配管内に水などの流体が残留したまま放置されてしまうと、該配管内の流体が凍結して体積が膨張し、管を破損する恐れがある。流体の凍結を防止するため、また検査や修理のために配管内部の流体を管の外部に出す目的で、配管には水抜き用の流体の出口と、配管に流体を通して通常使用する際に水抜き用の出口から水が漏れ出ないよう止水する止水栓が備えられている。
【０００３】
従来、止水栓を継手接続管に取り付ける方法は、止水栓とその取り付け部分に設けられたネジ部の螺合によるものが多く、これらの止水栓は、詳細は省略するが図３５〜図３９に示すような構造になっており、止水栓８１を、継手接続管８２の水抜き口４へ付け外しするには、継手接続管８２側のネジ部８４に止水栓８１側のネジ部８３を螺合させる必要があった。
【０００４】
また前記ネジ式以外の形状の止水栓は、止水栓または継手接続管の取り付け部分に設けられた段差部分とOリングやパッキン等の弾性部材とを密着嵌合させる方式のものがほとんどであった。（例えば、特許文献１参照）
【特許文献１】特開平１０−２９２４４２公報
【発明の開示】
【発明が解決しようとする課題】
【０００５】
上記の従来品である止水栓と継手接続管との取り付け部分の構造は止水栓・継手接続管双方に形成したネジ部を螺合させる方式であるため、ネジ部分等の製造が難しくコストがかかる。従来品が金属製であった場合、鋳型で外形を成形した後に本体内側に穴を掘って管を貫通させるか、金属加工を前提とした形状となり、やはり手間とコストがかかる。
また、使用時に継手接続管内部の流体を抜くために止水栓を開閉するにはネジ部分を何回も回さねばならず、作業に手間と時間がかかり面倒である。このような止水栓で閉栓する場合、作業者が何回ネジを回せば良いかわかりづらいため、回しすぎてネジを壊してしまう可能性があった。また、止水栓を開ける際、ネジを回しきると止水栓が継手接続管から外れ落ちてしまい、止水栓を紛失することがよくあった。
【０００６】
図３５〜３９に示す従来品の例では止水栓のネジ部分を全部回さずとも、少し回して継手接続管と止水栓との間に隙間をつくるだけで該管内部の流体は外部へと漏れ出すようになっているのだが、継手接続管内部の流体からの押圧力が強い場合、徐々に止水栓が流体により押圧されることにより、止水栓のネジ部分が回って緩んでしまい、継手接続管から止水栓が脱落してしまう可能性がある。上記のような止水栓の脱落や紛失を防止するためには、止水栓を継手接続管と繋いでおくための別部品が必要となり製造コストが上昇し、部品の組み立ても必要になるため作業に手間もかかるという問題点があった。
【０００７】
そして、長期にわたり該従来品のネジ螺合式止水栓を使用した場合、継手接続管内部の流体からの押圧力が止水栓にかかると、止水栓のネジ部分が閉栓状態においても徐々に緩んで回り、これにより出来た継手接続管と止水栓との隙間より管内部の流体が漏れ出て、最悪の場合は止水栓が回りきって継手接続管から外れるなどして、漏水事故を起こす恐れがあるという重大な欠点があった。現状は上記のような漏水事故を防ぐ目的で、止水栓が緩むと該止水栓を使用している機器のセンサーにエラー認識されるような対応策をとっているが、止水栓が緩む度に機器にエラー表示が出て修理員が呼び出され、対応に費用がかかるという問題があった。
【０００８】
加えて、部品の輸送中や取り付け作業中に継手接続管または止水栓のネジ山部分に傷をつけてしまうと、使い物にならなくなるという欠点があった。
【０００９】
上記のネジ螺合式従来品の問題点を解決するために、止水栓を継手接続官に嵌め込む方法を採用したものがある。一例として前記、特開平１０−２９２４４２公報（特許文献１）が挙げられる。これは製作が容易な形状で、かつ止水栓の取り付け、取り外しの際の操作は簡単になった。しかしながら、接合円筒部の内壁に設けられた溝に装着された弾性部材Oリングと、止水栓外周に形成された段差部との係合のみによって固定保持されているため、止水栓を保持する力が弱く、管体内を通る流体による止水栓を押す圧力が強くなった場合の保持力に不安が残る。また長期にわたって使用された場合、止水栓の取り付け、取り外しを繰り返すうちにOリングが磨耗や変形によって劣化し、さらに保持力が弱まり栓の機能を果たさなくなるという難点がある。
【課題を解決するための手段】
【００１０】
本発明は上述した従来の止水栓と継手接続管との取り付け手段の問題点を解決するため、次のような構成を採用している。
【００１１】
つまり本発明は、熱源機等の機器に使用する、外部から供給される流体を通す管と管を接続し、該管内部の流体を外部に排出する目的で使用する継手接続管と、該継手接続管と一体に設けられた流体を排出するための水抜き管に取り付けて使用し、水抜き管を密栓する（閉栓する）止水栓に係る発明である。該止水栓には、止水栓の軸部から分岐した形状で軸部と一体に、可撓性のある腕部が一つまたは複数形成されており、該腕部の先端には係止部が形成されている。
【００１２】
前記継手接続管には流体を通し、かつ各種配管に接続するための流入口と流出口が縦一本の管の両端に設けられ、その管の途中から水抜き管が分岐して設けられていて、略Ｔの字を９０度横に倒したような形で一体に形成されている。加えて、水抜き管の外周には止水栓の係止部を取り付けるためのリード溝が一体に形成されている。
【００１３】
前記リード溝は水抜き管外周に、水抜き管の開放端から継手接続管との分岐部に向けて、略４５度程度のリード角をとって一箇所または複数箇所形成されている。なお、該リード溝の溝始まり部分と溝終わり部分の端と、前記止水栓の係止部の端は互いに嵌合するようクサビ形状に形成されている。
【００１４】
前記水抜き管外周に設けたリード溝の両端、溝始まりと溝終わり付近に、水抜き管内部の流体が通る方向に対して垂直方向に直線状になるようストレート部を形成し、水抜き作業中も前記止水栓の係止部側面が該ストレート部に係止するようになっている。
【００１５】
前記止水栓の腕部先端には、該腕部と一体に可撓性のあるリングが腕部と腕部をつないで形成されており、該リング内周には前記係止部がリングと一体に形成されている。
【００１６】
前記継手接続管の水抜き管外周と前記リング内周にはそれぞれ凸部を一箇所または複数箇所形成し、前記止水栓の開閉作業時に該止水栓のツマミ部を手などで持って回転させると、止水栓の凸部が水抜き管の凸部を乗り越えて作業者の手にクリック感を感じさせ、また止水栓が水抜き管を密閉（閉栓）している際は、該水抜き管外周の凸部が止水栓のリング内周に当たりリングが撓まない形状に形成されている。
【００１７】
前記止水栓が開栓状態にある際は、前記リング外周の、係止部から約９０度離れた部分を手指などでリング中央方向へ押すと、リングが撓むため、これに伴い前記腕部がリングの外周方向へと開くため係止部がリード溝から離れ、止水栓を水抜き管から取り外すことができる。
【００１８】
前記止水栓の軸部の、前記水抜き管内に保持される部分の断面積（軸部の長手方向に対して垂直な断面とする）は、水抜き管の内部空間の断面積（水抜き管の長手方向に対し垂直な断面とする）よりも小さいサイズに形成されていて、止水栓の軸部の、付根部分の断面積は水抜き管内を密に閉栓状態にするサイズに形成されている。
【００１９】
前記止水栓の軸部の、水抜き管内に保持される部分は、後述する実施例では水抜きの効率を良くするため、断面が略十字形の柱状になるよう、また別の実施例では円柱に十字形の空間を設けたすり割り形状になるよう形成されているが、水抜き管の内部空間のサイズよりも小さく水抜きの効率が良い形状に形成されていれば良いので、軸部分の形状はこれに限定しなくても良い。
【００２０】
前記止水栓には、止水栓の軸部と一体にツマミ部が形成されており、該ツマミ部には一般の各種工具（例えば、六角レンチ、スパナ、ドライバー等）が嵌合する形状に外形、または軸部中心に凹部や溝が形成されている。後述する実施例では、ツマミ部の外形や凹部を略六角形、溝を十字形で示したが、使用する工具に合わせてこの凹部、溝、外形は形状変更しても構わない。
【００２１】
また、前記止水栓のツマミ部には、該ツマミ部の外周方向へ延設された指掛け部が一体に形成されている。止水栓の回転と一致して該指掛け部の位置も相対的に回転し角度が変わる。実施例では指掛け部の形状を板状にて表したが、使用する状況により滑り止めの溝を形成したり、指掛け部の先端にソリをつけたりする等、形状変更しても良い。
【００２２】
前記止水栓に形成された係止部は、前記水抜き管のリード溝に引っ掛かるように形成されていて、該係止部がリード溝に引っ掛かっている状態において、止水栓のツマミ部を回すことにより、相対的に該係止部がリード溝内を摺動する。これにより止水栓の軸部は回転しながら水抜き管内の、分岐部から水抜き管の先端部分との間を移動する。
【００２３】
前記止水栓の軸付根部分には、前記水抜き管に取り付けた際に水抜き管を密閉状態にするためのOリングが配されており、該Oリングの取り付け位置にはOリングよりすこし幅広の溝を形成してOリングが僅かに溝内で動くようにし、該溝内の軸寄りの底部にはさらに深溝を形成してある。
【００２４】
なお、前記Oリングの取り付け位置は、止水栓が閉栓状態にある時は水抜き管内に入り込み、水抜き管外側からは目視できない位置で、止水栓が開栓状態にある時は水抜き管外に出て目視できる位置になっている。
【００２５】
また、上記とは別の実施例に示すが、前記継手接続管の水抜き管外周のリード溝終わりから、さらに溝を続け水抜き管外周上に延長して一周させ、リード溝の途中につなげて形成したものもある。
【００２６】
前述の止水栓と該止水栓を備えた継手接続管は、合成樹脂等の可撓性と剛性を併せ持つ材料、Ｏリングは弾性のある材料(一例としてゴムやエラストマーや、これらを混ぜたもの)を使用すると良い。
【発明の効果】
【００２７】
本発明は上記のように構成されているので、次に記載する効果を奏する。
【００２８】
請求項１の発明によれば、止水栓本体と係止部とを合成樹脂等で一体に成形すると、従来の止水栓（止水栓と止水栓の脱落を防止するための別パーツが必要なもの）に比べ部品点数が少ないため安価で軽量なものを作成できる上に、樹脂の撓む性質を利用して、可撓性のある腕部や係止部を備えたリングを撓ませてワンタッチで止水栓を継手接続管に取り付けることができるので、特別な工具も不要で作業が簡単に短時間で済むという利点がある。
【００２９】
請求項１の発明によれば、継手接続管のリード溝の溝終わり部分と、該リード溝に係合する止水栓の、係止部の端部の形状は、互いに嵌合し合うクサビ形状になるよう傾斜をつけてあるため、リード溝内の溝終わりに係止部２８が到達した場合、係止部の端部はリード溝の溝終わり部分に当接して係止し、互いに引っ掛かっている状態になり外れなくなる。以上により、止水栓を閉める時に止水栓のツマミ部を強い力で回そうとしても、止水栓の係合部が滑って継手接続管のリード溝から外れたりすることは無く、回しすぎによって不用意に止水栓を継手接続管から外したり壊したりしてしまうことを防ぐことができる。また、係止部と一体に形成された腕部やリングが、何らかの外力により広がる方向に引っ張られたとしても、係止部と溝終わり部分が外れないため、止水栓が不用意に継手接続管から外れてしまうことがない。
【００３０】
同様に、継手接続管のリード溝の溝始まり部分と、該リード溝に係合する止水栓の、係止部の端部の形状も、互いに嵌合し合うクサビ形状になるよう傾斜をつけてある。このため、リード溝内の溝始まりに係止部２８が到達した場合、係止部の端部はリード溝の溝始まり部分に当接して係止し、互いに引っ掛かっている状態になり外れなくなる。以上により、止水栓を開栓する時に止水栓のツマミ部を回しても、止水栓の係合部が滑って継手接続管のリード溝から外れたりすることは無く、回しすぎによって不用意に止水栓を継手接続管から外して紛失してしまうことを防ぐことができる。また、係止部と一体に形成された腕部やリングが、何らかの外力により広がる方向に引っ張られたとしても、係止部と溝始まり部分が外れないため、止水栓が継手接続管から不用意に外れてしまうことがない
【００３１】
前記止水栓の係止部は、継手接続管の管の外周に略螺旋状に形成されたリード溝内を移動するので、リード溝内に係止させるため通常は略半球形状をしたものが多いが、本発明実施例に係る止水栓の係止部は略四角形に形成されているため、丸い形状のものと比べ止水栓の腕部やリングと接する面積が広くなり強度が増すため、係止部が腕部やリングから壊れて取れてしまうことが従来品より少なくなる。
【００３２】
後述する実施例にて開示するが、継手接続管に形成するリード溝を二重に形成し、それに合わせ係合する止水栓の係止部も数を増やすと、止水栓が継手接続管に係合する力をさらに増すことが可能である。
【００３３】
請求項３または４の発明によると従来品と比べ本発明の止水栓は、密に閉栓するためのＯリングを止水栓の軸付根側に配設した上、止水栓の軸の断面形状を、軸の断面積が水抜き管の断面積（水抜き管の長手方向に対し垂直な断面とする）よりも小さくなるよう形成した。後述する実施例では、軸を断面が略十字形の柱状もしくは円筒に一箇所以上の空間を設けた十字形のすり割り形状に形成した。よって止水栓を水抜き管から完全に外さずに、少し回転させてずらすだけで管内部の流体を水抜き管と軸部の隙間を通して外部へと排出することが可能で、なおかつ、従来品に比べて水抜き管内部の流体が流れる方向への、流体に対して軸部分が当たるための抵抗は少なくなっているため、水抜き管外への流体排出流量を、同じ時間あたりで多くすることが出来た。これにより水抜き管からの水抜きを効率よく行うことが出来、作業時間を短縮できる。
【００３４】
また、継手接続管の水抜き管のリード溝両端（溝始まりと溝終わり部分）にはストレート部が設けてあり、水抜き管内の流体が通る方向に対して垂直方向に直線状に形成されている。該リード溝のストレート部側面は、水抜き管の外周に対して垂直に形成されていて、止水栓の係止部側面が当接して係止し、移動しないようになっている。このため水抜き管内部の流体からの押圧力が止水栓にかかった場合も、止水栓係止部がリード溝両端のストレート部から外れることは無く、該ストレート部に係止したまま動かない。よって、止水栓を閉めた状態で水抜き管の密栓状態を保ち、管内部の流体から押圧力がかかった場合に止水栓が緩んで起こる水漏れ事故や止水栓の脱落を防ぐことができる。
同様に、止水栓を開けた状態でも、水抜き作業中に該止水栓を継手接続管から外さないまま水抜き作業を行うことができるため、従来品のように取り外して止水栓を紛失する心配も無い。
【００３５】
請求項５の発明によると、止水栓のツマミ部は略六角に形成された凹部２６があり、さらに十字溝１９が形成され、ツマミ部の外形もスパナやレンチ、ドライバー等の、一般の工具と嵌合するよう形成されているので、これら工具を使用して止水栓を回して栓を開閉することができ、人間の手が入らないような狭い場所でも止水栓の開閉作業が可能である。
【００３６】
さらに、止水栓のツマミの指掛け部には一本または複数本の滑り止め溝を形成してあるので、手で止水栓を開閉する際の作業時に手が滑りにくいため、さらに使い勝手が良くなっている。
【００３７】
請求項５の発明によると、止水栓のツマミ部からツマミ部外周方向へ延設された指掛け部は、栓の開閉動作、つまり止水栓を回すと、止水栓の動きと一致して回る。後述する実施例において、止水栓の係止部とツマミ部は一体に形成されていて、係止部が水抜き管のリード溝内を移動すると、止水栓の軸部やツマミ部が相対的に約９０度回転するようにリード溝の角度や長さを計算して形成してあるため、止水栓の閉栓状態と開栓状態では指掛け部の角度が約９０度変わるようになっている。
このため、指掛け部の位置、角度によって、一目見ただけで止水栓の開閉状態が判別可能であり、止水栓の閉め忘れも防ぐことができるので大変便利である。また、ツマミ部を約９０度回転させるだけで止水栓による水抜き管の開閉ができるので、何度も止水栓を回す必要があった従来品（ネジ嵌合式）と比べ、開閉作業が簡単になった。
【００３８】
従来品は水抜き管を密栓するためのＯリングが止水栓先端付近に配されており、止水栓を水抜き管に取り付け使用する際は、止水栓に配されたＯリングを水抜き管内の最奥部まで挿入せねばならない。作業者が止水栓を水抜き管にまっすぐに差し込むことが出来れば問題は無いが、作業スペースが狭い等の理由により、止水栓を斜めにしたまま水抜き栓に差し込んでしまうと、Ｏリングが水抜き管の内壁に当たり、該内壁との摩擦によってＯリングが摩滅し劣化するという欠点があった。しかし、請求項６の発明によると、本発明の止水栓においてはＯリングの取り付け位置、つまり溝を軸の付根側に形成した。このため、Ｏリングが水抜き管内を通過する距離が比較的短くなった上、Ｏリングが水抜き管内に入り込む時には、それ以前に止水栓の軸は先端からＯリングの手前までの部分が水抜き管に入っているため、止水栓の挿入角度が適正になり、Ｏリングの摩滅による劣化を軽減する事ができ、止水栓の開閉操作が楽になった。そして、軸（継手接続管の水抜き管内に挿入する部分）を長く形成してあるので、継手接続管に取り付けた際に、がたついて外れることがない。
【００３９】
さらに、水抜き管内に挿入されて止水栓が閉栓している状態ではＯリングは水抜き管内に入り込んでいるために目視できず、開栓している状態ではＯリングが外側から目視できる位置に来るように形成した。これにより、Ｏリングが目視できるかどうかで止水栓の開閉状態を一目で見分けることができる。尚、目立つ色のＯリングを使用するとさらに判別しやすい。
【００４０】
請求項６の発明によると、止水栓のＯリングを装着する部分である溝は、Ｏリングの幅より僅かに広く形成され、さらに溝内の軸寄りの底部には深溝を形成してある。止水栓を水抜き管に挿入するとＯリングは水抜き管内壁との摩擦により、溝内のツマミ部に近い側へと摺動して水抜き管内壁と溝に当接し、水抜き管内を密閉（閉栓）状態にする。
止水栓を水抜き管から外す時は、Ｏリングは水抜き管内壁との摩擦により溝内を摺動し、溝内の軸側に移動する。溝の軸側の底部には深溝が形成されていて、Ｏリングが深溝内に入ると、Ｏリングと水抜き管内壁との接触面積が少なくなる。
よって止水栓を外す際、Ｏリングと水抜き管内壁との摩擦が少なくなるため、開栓動作に対する抵抗が少なくなるため、作業者は少しの力で開栓することができる。
再度、水抜き管に挿入する際にはＯリングが（水抜き管内壁との摩擦により）再び溝内側を摺動してツマミ部に近い側へとスムーズに摺動する。以上により、止水栓を水抜き管に出し入れする際にはＯリングが溝内で動くため、水抜き管の開栓・閉栓動作（止水栓の出し入れ）に対する抵抗が少なく、作業者は少しの力で開栓・閉栓動作をすることが出来る。また、溝内に予めグリースなどの潤滑剤を塗布しておくとさらに水抜き管の開閉作業がスムーズになる。
【００４１】
従来品の継手接続管は、水抜き流路６管内の分岐部７に近い部分が、管の内径の中心方向へテーパーを施されているため、少しずつ管の内径が小さくなっていく形状となっている。このテーパー部と止水栓Ｏリングのシールにより水抜き流路内部を密閉していることから、流路形状がテーパー部で細く形成されているため、流体が流れにくく水抜き効果が悪かったが、本発明の継手接続管は水抜き管内の流路を同一内径の管状にして広く形成したので、流体の流量を従来品より増すことができ、水抜き効率がさらに良くなった。
【００４２】
従来品の止水栓は爪部（本発明実施例では係止部に相当する）のみで止水栓を継手接続管のリード溝に係止させているが、爪部に何かが当たる等の外力が不意に加わって、爪部が撓み、リード溝から不用意に外れてしまう可能性があった。請求項２の発明によると、本発明実施例の止水栓はリング２１を係止部と一体に形成して係止部を補強しており、係止部が何らかの外力がかかることにより外側（リングの外周方向）に撓んでしまうことを防いでいるので、係止部がリード溝から不用意に外れる心配が無い。これにより、止水栓の脱落、紛失等の心配の無い、さらに信頼性が高い止水栓を提供できる。
【００４３】
請求項２の発明によると、水抜き管を開栓している状態で止水栓のリングを外側から、リングの上下方向（腕部と腕部の間の部分）を指等で潰すように押し、横方向へ膨らむよう撓ませて変形させると、腕部がリング外周方向へ向かって開き、腕部先端に設けられた係止部が水抜き管のリード溝から外れるので、止水栓を水抜き管から取り外す事ができる。
【００４４】
請求項２の発明によると、継手接続管の水抜き管外周には凸部が設けられており、止水栓のリング内側にも凸部が設けられている。継手接続管の凸部と止水栓のリング内側の凸部は、止水栓を継手接続管に装着して閉栓状態にする際、止水栓のリング内側の凸部が継手接続管の凸部を乗り越える位置にそれぞれ形成されている。このため栓の開閉操作の際には凸部が凸部を乗り越える際に起こるクリック感を出す事ができ、作業者は栓の開閉操作の終わりをクリック感にて感じとることができる。このため、回しすぎ等による止水栓の破壊を防ぐことができる。
【００４５】
また、閉栓状態では、継手接続管の凸部が止水栓のリング内側に当たるため、止水栓のリングを外側から指などで押してもリングは潰れず、腕部がリングの外周方向へ開かない。これにより、係止部はリード溝内から外れないので止水栓も継手接続管から外れない。
【００４６】
後述する実施例にて示すが、継手接続管の本体側の管外周に、管の外周方向へ向けて延設されたツバ部を設け、また、該管外周の、ツバ部とは適度な距離をあけ、かつ、ツバ部と対向する位置に板押さえ部を一箇所ないし複数箇所設ける。なお、ツバ部には一箇所もしくは複数箇所、管の外周方向へさらに延設された部分４４を形成し、延設部分４４の先端には凸部４５を形成する。ツバ部の形成場所は限定せず、継手接続管の取り付け場所（機器筐体、取り付け用穴の場所）に合わせて形成する。
【００４７】
この継手接続管を熱源機等使用機器に取り付ける際、使用機器の筐体の固定部（板金など）に図２１に示すような取り付け孔を予め開口形成しておき、この取り付け孔に継手接続管を流入口側から（継手接続管の向きは図１９に示す状態で）まず通す。続いて板押さえ部を通したら、継手接続管を図２１に示す矢印Ｄ方向へ９０度回転させる。すると、ツバ部と板押さえ部の間に固定部が挟まり、固定部に継手接続管が係止した状態となる。続いて、固定部に予め形成された孔３９に凸部４５を嵌め込むと、継手接続管は固定されて回転しなくなる。以上により、継手接続管を使用機器の筐体固定部に簡単に、工具やネジ等の接続部品も使わずに取り付けることが出来、作業効率がさらに良くなる。
【００４８】
請求項７の発明によると、継手接続管の水抜き管外周に設けたリード溝を、溝終わり部分から延長して、その延長先を該リード溝の途中につなげて形成した。これにより、前記止水栓を閉栓するために回しすぎた時に、前記止水栓の係止部がリード溝から外れることがなくなり、止水栓の脱落や紛失を防ぐことができる。溝終わり部分からリード溝の延長部分に入る箇所には段差を設けてあるので、作業者の手には止水栓の係止部が該段差を乗り越えて、リード溝の延長部分に入る際にクリック感を感じさせるので、作業者は回しすぎに気付くことが可能である。
【発明を実施するための最良の形態】
【００４９】
次に、本発明の一実施例の形（以下、「実施例」という）について、図面に基づいて詳しく説明する。
【実施例１】
【００５０】
図１は本発明実施例に係る継手接続管１を表す正面図である。継手接続管１は一本の管状になっており、その片方の端に水などの流体の入り口となる流入口２と、もう一方の端に流体の出口となる流出口３を備えている。流入口２と流出口３はそれぞれ、各種配管に取り付けて使用できるように形成してある。該継手接続管１の流入口２と流出口３との途中には分岐部３１があり、該分岐部３１から管が分岐した形状になっている水抜き管４を備えている。継手接続管１全体の形状は略Ｔの字を９０度横に倒したような形状である。
【００５１】
前記水抜き管４は、水抜き作業の際に継手接続管内部の流体を外に出すための管であり、かつ止水栓１３を保持するためのものである。水抜き管４の外周表面部分には、水抜き管４の先端付近から分岐部３１方向へと略４５度程度のゆるい螺旋を描いてリード溝５が形成されている。該リード溝５は、後述する止水栓１３の係止部２８を係止させるためのものである。
【００５２】
上記リード溝５は略４５度とリード角を大きく取ることにより、（従来のネジ螺合式のものに比べて）止水栓が少ない回転で長い距離を移動することができる。該リード溝は、この実施例においては１８０度間隔で２本設けられているが、円滑に移動するため２本以上設けることが望ましい。複数形成すると止水栓１３の係止部２８を安定して係止させることができる。
【００５３】
図２は該継手接続管１に取り付けて使用するための、止水栓１３を表す正面図である。（但し、止水栓１３のＯリング１６は細部を見やすくする為、一部切断面で表されている。）止水栓１３は、軸部１９と軸部と一体に形成されたツマミ部１４と、ツマミ部から延設して形成された指掛け部１５、軸部１９とツマミ部１４の境目から分岐して形成された腕部２０と、腕部２０同士の先端をつないで補強するため環状に形成されたリング２１と、軸部の付根付近（ツマミ部１４との境目付近）には溝１７が形成され、さらに溝１７部分に取り付けられたＯリング１６にて成る。
【００５４】
図３は上記継手接続管１に上記止水栓１３を取り付けたところ、つまり、継手接続管１の水抜き管４に、止水栓１３の軸部１９を挿入し、係止部２８をリード溝５に係止させている状態を示す。水抜き管４に止水栓１３を取り付けるには、水抜き管４の挿入用溝１０に止水栓１３の係止部２８を嵌合させ、同時に止水栓１３の軸部１９は水抜き管４内に挿入する。この状態で止水栓１３をリード溝の方向へ強い力で回転させると、止水栓１３のリング２１が変形して係止部２８は挿入用溝１０とリード溝５の間を仕切る壁を乗り越え、リード溝５に嵌まり込む。以上の方法により止水栓１３を水抜き管４に取り付ける。図４は図３の状態から、止水栓１３を回転させ、止水栓１３にて継手接続管１の水抜き管４を閉栓している状態を示す。通常、継手接続管１を使用する際は水抜き管４は閉栓された状態である。検査等で継手接続管１内部の流体を排出させたい場合には、止水栓１３を回転させて水抜き管４を図３に示した開栓状態にする。
【００５５】
止水栓１３に形成された係止部２８は、前記水抜き管４のリード溝５に引っ掛かるように形成されていて、使用時には係止部２８がリード溝５に引っ掛かけてある状態において、止水栓１３のツマミ部１４を回すことにより、相対的に該係止部２８がリード溝５内を移動する。これにより止水栓１４の軸部１９は回転しながら水抜き管４内を左右（図３に示す矢印Ｅ方向とその逆方向）に移動する。
【００５６】
図５は図３の右側面図の、止水栓１３のみを示した要部拡大図である。止水栓１３のツマミ部１４は、外形が略六角形に、また、軸部分の内側に略六角形の凹部２６が形成され、さらに略六角形の凹部内部の奥には十字溝２７が形成されている。これは、各種の六角レンチやドライバー等、一般の工具に合う形状となっており、止水栓１３を開閉する際、工具を使っての操作も出来るように配慮してある。これらの形状は外形や略六角形の凹部や十字の溝に限定せず、使用する工具に合わせて変更しても良い。
【００５７】
また、手で操作する際に滑らず作業性が良くなるよう、ツマミ部１４の指掛け部１５には滑り止め溝を一本〜複数本形成した。この他、図４２に表すように、ツマミ部１４の外形を略六角形状に形成、ツマミ部１４の軸部分の内側には六角形の穴２６を形成し、さらに六角形の穴２６は中心に向かって段階的に小さな六角形になるよう形成した。これにより、外側からの工具による操作も可能である上、軸部分内側の六角形の穴２６は様々なサイズの工具を嵌合させることが可能になる。
【００５８】
止水栓１３の軸部１９の付根部分（ツマミ部１４との境目付近）には、軸外周をぐるりと囲んで溝１７が設けられていて、該溝１７内の軸寄りの底部にはさらに深く、深溝１８が形成されている。溝１７には、各種ゴムやエラストマー等の、もしくはそれら２種以上を混合した弾性材料にて形成されたＯリング１６を装着しておく。溝１７は装着するＯリング１６の幅より僅かに広く形成し、さらに溝１７内にはグリース等の潤滑剤を塗布しておくことが望ましい。
【００５９】
図４３、図４４は止水栓１３の溝１７を示す要部拡大図である。図４３は、水抜き管４が開栓状態で、止水栓１３の軸部１９を水抜き管４の開放端から差し込んだところを表す。Ｏリング１６が水抜き管４の外側から見えているので、開栓状態であることが判別できる。この状態から、止水栓１３の軸部１９を水抜き管４の内部へと押し込むと、Ｏリング１６は水抜き管４の内壁との摩擦によって深溝１８から溝１７（止水栓１３のツマミ部１４付根側）へと移動し、図４４のようになる。図４４は水抜き管４がＯリング１６によって閉栓された状態で、止水栓１３が水抜き管４に完全に入り込んだところを表す。
【００６０】
図６は図５の背面図である（止水栓１３のみ示す）。図７は図３の断面図で、止水栓が開栓している状態を示す。図８は図４の断面図で、止水栓が閉栓している状態を示す。止水栓１３の軸部１９の付根部分（ツマミ部１４との境目付近）は円柱状に形成され、その外周は継手接続管１の水抜き管４の内部空間をぴったりと塞ぐサイズに形成する。さらに該円柱状の部分に前述の溝１７や深溝１８が形成されていて、Ｏリング１６が装着される。Ｏリング１６によって水抜き管４の内部空間を密栓状態する。図６に示すように、軸１９の先端側は断面が十字形のリブ状に形成されている。図９は図３に示した止水栓の拡大図であり、溝１７や深溝１８を見やすくするためＯリングを省略して表す。ｓ
【００６１】
図１０は図３と同じ図である（図３に全ての番号と矢印を記入すると、図が見づらくなるため別図にて表した）。
図１４は図１０の右側面図で、Ｈ−Ｈ矢印部分で切断し、矢印Ｈと反対向きに見た状態を表す。なお、止水栓１３と水抜き管４は断面図にて表す。継手接続管１の水抜き管４に止水栓を取り付けるため、止水栓の係止部２８を取り付け用溝１０内に摺接させたところである。図１５は図１４の状態から、図１４に示す矢印Ｃ方向へ止水栓１３を回転させ、係止部２８がリード溝５に入ることにより止水栓１３を水抜き管４に係止させたところを示す図である。図１４と同様、止水栓１３と水抜き管４は断面図にて表す。
【００６２】
本発明実施例にかかる継手接続管１を取り付けた熱源機等を通常使用する際、流入口２から継手接続管１内に入った流体は図３、図８、図１６等に示す矢印Ａ方向へ流れ、流出口３から流出する。このうち分岐部３１経由で水抜き管４に流入した流体は、水抜き管４内部を、止水栓１３の軸部１９の付根部分にあるＯリング１６が完全に密栓状態にしているため、水抜き管４からは外部へ流出できず、最終的には流出口３へ流れてゆき継手接続管１外へと流出する。
【００６３】
図１３は図２に示した止水栓１３のＦ−Ｆ矢視断面（要部拡大）図である。軸１９部分とツマミ部１４は省略してある。止水栓１３の腕部２０と腕部２０先端をつないで形成されたリング２１の内周側には係止部２８が凸状に形成されている。
【００６４】
図１１は図４のＧ−Ｇ矢視断面図であり、止水栓１３が水抜き管４内に挿入されて水抜き管４を閉栓している状態を示す。止水栓１３のリング２１内周側には、上記係止部２８が凸状に形成されていて、該係止部２８の端部２９、２９はクサビ形状に形成されている。水抜き管４のリード溝５の溝終わり８もこの端部２９と係合するクサビ形状に形成されている。止水栓１３を閉めると、端部２９が溝終わり８にしっかりと係止するため、それ以上は閉栓方向（図１１に示す矢印Ｂの反対方向）へは回転できず、腕部２０も外側（リング２１外周方向）へ開かないようになる。
【００６５】
図１１の状態から止水栓１３を図１１に示す矢印Ｂ方向へ回転させると、係止部２８はリード溝５内を溝終わり８から溝始まり９側へ移動し、図１２に示す状態となり、止水栓１３の付根部分のＯリング１６は水抜き管４内から出る。以上により、Ｏリング１６による密栓状態が解除されるため水抜き管４は開栓される。継手接続管１内の流体は流入口２から分岐部３１を経て、水抜き管４内を図７、図８に示す矢印Ｅ方向へ向かって水抜き管４と止水栓１３の軸１９の先端部分との隙間を通り、水抜き管４の開放端（つまり出口）から流出する。流体を水抜き管外部に出す水抜き作業の際、なるべく流体への抵抗が少なくなるよう、水抜き管４は内部を一定の径の円管状に、軸１９先端の形状は断面が十字形の柱状に形成した。
【００６６】
図１５は水抜き管４を開栓している状態を表す図である。リード溝５の溝始まり９は止水栓１３の端部２９と係合するクサビ形状に形成されていて、止水栓１３を開栓すると、端部２９が溝始まり９にしっかりと係止するため、それ以上は開栓方向（図１４に示す矢印Ｃの反対方向）へは回転できず、腕部２０も外側（リング２１外周方向）へ開かないようになる。
【００６７】
図１７は水抜き管４と止水栓１３の要部拡大図であり、止水栓１３が水抜き管４を閉栓している状態を示す断面図である。止水栓１３の軸部１９は水抜き管４内部の流体から、図１７に示す矢印Ｅ方向への押圧力を受けるが、止水栓１３は係止部２８の側面５０がリード溝５のストレート部７の側面に係止しているので移動しない。よって、止水栓１３は水抜き管４を閉栓した状態を保つ。
【００６８】
同様に、止水栓１３が水抜き管４を開栓している時は、止水栓１３の軸部１９は水抜き管４内部の流体から、図３に示す矢印Ｅ方向への押圧力を受けるが、止水栓１３は係止部２８の側面５０がリード溝５のストレート部６の側面に係止しているので、移動しない。また、係止部２８の端部２９は溝始まり９に係止する。以上により止水栓１３が開栓状態にあり、水抜き管４内部の流体からの押圧力を受けても、止水栓１３は水抜き管４を開栓した状態を保ち、また水抜き管４から脱落することもない。
【００６９】
図１や図１１、１２に示すように、水抜き管４の外周には凸部１２が、止水栓１３のリング２１内周側には凸部２４が形成されている。止水栓１３にて水抜き管４の開栓・閉栓動作を行うと、止水栓１３の回転に従い凸部２４は凸部１２を乗り越えるため、止水栓１３を操作する作業者の手に凸部２４が凸部１２を乗り越えた際のクリック感が伝わる。
【００７０】
水抜き管４を開栓状態から閉栓状態にする時、止水栓１３を回転させる（つまり、図１２の状態から図１１の状態にしようとする）と、リード溝５内に係止している係止部２８は溝終わり８側のストレート部７に入るが、その際に凸部２４が凸部１２を乗り越える位置に形成されている。これにより、閉栓作業を行うと、凸部２４が凸部１２を乗り越えたクリック感が手に伝わるため、係止部２８がストレート部７に入ったことがわかる。以上により、係止部２８がストレート部７に入ったことが作業者にわかるため閉栓動作が終了したことがわかる。よって、閉栓動作の際に止水栓１３を回しすぎて破壊したり、止水栓が滑って水抜き管４から外れてしまったりすることを防ぐことができる。
【００７１】
水抜き管４に取り付けてある止水栓１３を取り外す場合、まず止水栓１３を開栓状態（図３や図１５に示す状態）にし、止水栓１３のリング２１の外周側から、円状のリング２１を潰すように、リング２１と腕部２０との接続箇所の間の部分を指等で押し、リング２１が横方向へ膨らむよう撓ませて変形させると（止水栓１３は合成樹脂等の剛性と可撓性とを併せ持つ材料にて形成されている）、腕部２０がリング２１外周方向へ向かって撓んで開き、腕部２０先端に設けられた係止部２８が水抜き管４のリード溝から外れる。この状態から止水栓１３を（図１４に示す矢印Ｃの反対方向へと）回転させると、係止部２８が取り付け用溝１０に入って図１４に示す状態となる。そのままリング２１を手前（図３に示す矢印Ｅ方向）側へ引くと。軸部１９は水抜き栓４から外れるので、止水栓１３を水抜き管４から取り外す事ができる。指を離せばリング２１は弾性復元して元の形状に戻る。
【００７２】
前記止水栓１３に形成された係止部２８は、前記水抜き管４のリード溝５に引っ掛かるように形成されていて、該係止部２８がリード溝５に引っ掛かっている状態において、止水栓１３のツマミ部１４を回すことにより、相対的に該係止部２８がリード溝５内を摺動する。これにより止水栓１３の軸部１９は回転しながら水抜き管４内の、分岐部３１から水抜き管４の先端部分との間を相対的に移動する（図３に表す矢印Ｅ方向とその逆方向へと移動する）。止水栓１３のツマミ部１４からツマミ部１４外周方向へ延設された指掛け部１５は、栓の開閉動作を行うと、つまり止水栓１３を回すと、止水栓１３の動きと一致して回る。止水栓１３の係止部２８とツマミ部１４は一体に形成されているので、係止部２８がリード溝５内を移動すると、止水栓１３の軸部１９やツマミ部１４が相対的に約９０度回転するようにリード溝５の角度や長さを計算して形成してあるため、止水栓１３の閉栓状態と開栓状態では指掛け部１５の角度が約９０度変わるようになっている。
このため、指掛け部１５の位置、角度によって、一目見ただけで止水栓１３による水抜き管４の開閉状態が判別可能であり、止水栓１３の閉め忘れも防ぐことができる。
【００７３】
図１６は図１のＭ−Ｍ矢視断面図である。継手接続管１の流出口３に熱源機等の機器の配管３４を挿し込み接続したところを示す。流路３０の内径と接続先の配管３４の内径が同じになるよう形成したので、内部流体の圧力損失を低減出来る。
【００７４】
図７や図８にて示すように、水抜き管４は内径が一定の円管状に形成した。止水栓１３にて水抜き管４を閉栓状態にした際、Ｏリング１６は水抜き管４の円管内面（内周）に密接して閉栓するので、従来品のように水抜き管と止水栓の嵌合状態によってＯリングの密栓具合が変わったりする事が無く、密栓状態を保つことが可能である。
【００７５】
図１、図３、図４等に示した継手接続管１の回り止め１１は、継手接続管１を取り付けて使用する機器の筐体に、回り止め１１を挿入できる孔や窪みを予め開けておき、該孔または窪みに回り止め１１を嵌め込んで筐体に固定しておくと、継手接続管１が使用中に不用意に回って機器の配管から外れてしまうことが無く安心である。
【実施例２】
【００７６】
図１８、図１９は本発明の継手接続管に係る第２の実施例の正面図である。実施例１の継手接続管１と形状はほぼ同じであるが、継手接続管１の外周に形成したツバ部３６と、該ツバ部３６と対向する位置に形成した板押さえ３５と、ツバ部の一部を延設して形成したベント部４４と、ベント部の先端に凸状に形成した固定凸部４５が実施例１と異なる部分である。その他の部分は実施例１の継手接続管１と形状や機能は同じであり、実施例１にて開示したとおりであるので説明の重複を避けるため、ここでは記述しない。
【００７７】
図１９は図１８の平面図である。図２０は（第２実施例の）継手接続管１を熱源機等の使用機器の筐体４０に取り付けたところを表す図である。図２１は使用機器の筐体４０の一部分であり、筐体４０には取り付け孔３８と固定穴３９が予め開口形成されている。
【００７８】
熱源機等の使用機器の筐体４０に継手接続管１を取り付けるには、図１９の状態の継手接続管１を、流入口２側から筐体４０の取り付け孔３８に挿し込み、板押さえ３５が取り付け孔３８を通過したところで、図２１に示す矢印Ｄ方向へと継手接続管１を約９０度回転させる。すると、筐体４０の取り付け孔３８の端が、板押さえ３５とツバ部３６の間に入り、継手接続管１は筐体４０に板押さえ３５とツバ部３６が係止して上下方向に対して固定された状態となる。さらに、ベント部４４先端の固定凸部４５を固定穴３９に挿入し、継手接続管１が回転しないよう固定する。以上により、継手接続管１を機器に簡単に、かつ工具等も使用せずに取り付けることができる。
【実施例３】
【００７９】
図２３は本発明の止水栓に係る他の実施例を表す正面図、図２２は該止水栓を備えた継手接続管に係る、他の実施例を表す正面図である。図２４は図２３の左側面図である。継手接続管１の水抜き管４に形成するリード溝５を二重に形成し、それに合わせてリード溝５に係止する止水栓１３の係止部２８も数を増やすと、止水栓１３が継手接続管１に係止する力がさらに増し、止水栓１３が水抜き管４を密栓する力を増すことが可能である。止水栓のツマミ部１４は上記実施例１の形状に限定せず、使用する機器に合わせて変更しても良い。また、止水栓１３の軸部１９の形状は、円筒状の軸部１９に一本または複数の溝を形成し、水抜きのための流路にする。本実施例では複数本の溝を形成して、十字形のすりわり形状を形成した。その他の部分は第一実施例と同様である。説明の重複を避けるため、他の図や説明文は省略する。
【実施例４】
【００８０】
図２５は本発明の止水栓と該止水栓を備えた継手接続管にかかる他の実施例を表す正面図、図２６は図２５の右側面図、図２７は図２６のＪ−Ｊ矢視断面図である。止水栓のツマミ部１４は上記実施例１の形状に限定せず、使用する機器に合わせて変更しても良い。本実施例においては、円筒形の側面に滑り止めの溝を複数箇所形成した。さらに、Ｏリングを軸部１９とツマミ部１４との境目に配設し、水抜き管４の出口（先端）部分には管の内周側に、出口（先端）方向へ向かって管の円筒の厚みが薄くなっていくようテーパー加工を施した。本実施例の場合、水抜き管４に止水栓１３を取り付ける際は、水抜き管４の出口先端のテーパー加工を施した部分にＯリング１６を突き当てて、ツマミ部１４と水抜き管４先端にてＯリング１６を挟んで押圧して密栓状態にするため、Ｏリング１６が水抜き管４内には挿入されない。よって、他の実施例のようにＯリング１６を水抜き管４内にて移動させるための潤滑剤が不要となるため、潤滑剤を塗布する手間やそれにかかる費用等がかからなくなる。
本実施例においては、軸１９の形状は第三実施例と同様、つまり円柱に空間を設けた形状になっているが、第一実施例の軸形状を採用しても良いし、水抜き管４の内部空間より小さいサイズで水抜き効率が良い形状であるという条件さえ満たせば、それ以外の形状でももちろん構わない。その他の部分は第一実施例と同様である。説明の重複を避けるため、他の図や説明文は省略する。
【実施例５】
【００８１】
図２８は本発明の継手接続管に係る他の実施例を表す図である。継手接続管を下から見た底面図となる。継手接続管１の水抜き管４外周の、リード溝５に溝終わり８を形成せず、水抜き管外周上に延長して一周させ、リード溝の途中につなげて形成したものである。その他の部分は第一実施例と同様である。説明の重複を避けるため、他の図や説明文は省略する。
【実施例６】
【００８２】
図２９は本発明の継手接続管に係る他の実施例を表す正面図、図３０は図２９の平面図、図３１は図２９の底面図、図３２は図２９〜３１に示す継手接続管の斜視図、図３３は図２９の右側面図である。左側面は図３３と対称に現れる。本発明実施例に係る継手接続管は流体を通す管部分を複数形成して、ツバ部３６にてこれらの管を連結しても良い。その際、ツバ部３６には、機器に取り付けるためのネジ等を通す孔５１、５２を形成しておくと良い。
【００８３】
また、図４０や図４１に示すようにツバ部３６にはベント部分６０を設けておく。こうすると、本実施例の継手接続管を複数の配管に取り付けた後に、配管にそれぞれ何らかの外力がかかって本来の位置よりズレてしまった場合も、ベント部分６０が捻れたり広がったりしてズレを解消するので、ツバ部３６が反って継手接続管が配管から外れるのを防ぐ。また、ベント部分６０は図示した略Ｕの字形状に限らず、図４１に図示した薄板部分６２のように、他の部分より薄肉状に形成しても良い。
【００８４】
以上により本発明実施例に係る継手接続管用止水栓と、該止水栓を備えた継手接続管は「発明の効果」欄に記した効果を得ることができる。
【図面の簡単な説明】
【００８５】
【図１】本発明実施例に係る継手接続管を表す正面図である。
【図２】本発明実施例に係る止水栓を表す正面図である。
【図３】図１の継手接続管に図２の止水栓を取り付け、水抜き管が開栓状態にあるところを示す正面図である。
【図４】図１の継手接続管に図２の止水栓を取り付け、水抜き管が閉栓状態にあるところを示す正面図である。
【図５】図３の右側面要部（止水栓のみの）拡大図である。
【図６】図５の背面図である。
【図７】図３の断面図である。
【図８】図４の断面図である。
【図９】本発明実施例に係る止水栓を表す図である。
【図１０】本発明実施例に係る継手接続管を表す正面図である。図１と同一の図である。
【図１１】図１０のＧ−Ｇ断面図である。
【図１２】図１０のＨ−Ｈ矢視断面図である。
【図１３】図２のＦ−Ｆ矢視断面図であり、要部拡大断面図である。
【図１４】図１０のＨ−Ｈ断面図であり、矢印Ｈの反対方向から見た図である。
【図１５】図４のＧ−Ｇ断面図であり、矢印Ｇの反対方向から見た図である。
【図１６】図１のＭ−Ｍ矢視断面図で、継手接続管を任意の配管に取り付けた状態を表す。
【図１７】図８の要部拡大断面図である。
【図１８】本発明第二実施例に係る継手接続管を表す正面図である。
【図１９】図１８の平面図である。
【図２０】本発明第二実施例にかかる継手接続管を、機器の筐体に取り付けた状態を示す図である。
【図２１】本発明第二実施例に係る継手接続管を取り付ける機器の要部拡大図である。
【図２２】本発明第三実施例に係る継手接続管を示す正面図である。
【図２３】本発明第三実施例に係る止水栓を示す正面図である。
【図２４】図２３の左側面図である。
【図２５】本発明第四実施例に係る止水栓と該止水栓を備えた継手接続管を示す正面図である。
【図２６】図２５の右側面図である。
【図２７】図２６のＪ−Ｊ断面図である。
【図２８】本発明第五実施例に係る継手接続管を表す底面図である。
【図２９】本発明第六実施例に係る継手接続管を表す正面図である。
【図３０】図２９の平面図である。
【図３１】図２９の底面図である。
【図３２】図２９に示す継手接続管の斜視図である。
【図３３】図２９の右側面図である。
【図３４】従来の継手接続官を示す正面図である。
【図３５】従来の継手接続官を示す図３４の斜視図である。
【図３６】図３４の右側面図である。
【図３７】図３６のＫ−Ｋ断面図である。
【図３８】図３７に示す従来の継手接続官に止水栓を取り付け閉栓状態にした状態を示す断面図である。
【図３９】図３７に示す従来の継手接続官に止水栓を取り付け開栓状態にした状態を示す断面図である。
【図４０】本発明第六実施例に係る継手接続官を示す図である。
【図４１】本発明に係る継手接続管の、他の実施例を表す図である。
【図４２】本発明に係る止水栓の、他の実施例を表す図である。
【図４３】本発明に係る止水栓の溝の、要部拡大断面図である。
【図４４】本発明に係る止水栓の溝の、要部拡大断面図である。
【符号の説明】
【００８６】
１    継手接続管
２    流入口
３    流出口
４    水抜き管
５    リード溝
６    ストレート部
７    ストレート部
８    溝終わり
９    溝始まり
１０  挿入用溝
１１  回り止め凸部
１２  凸部
１３  止水栓
１４  ツマミ部
１５  指掛け部
１６  Ｏリング
１７  溝
１８  深溝
１９  軸
２０  腕部
２１  リング
２２  リブ
２３  リブ
２４  凸部
２５  滑り止め溝
２６  凹部
２７  十字溝
２８  係止部
２９  端部
３１  分岐部
３２  ヘコミ
３３  テーパー
３５  板押さえ
３６  ツバ部
３７  スキマ
３８  取り付け孔
３９  孔
４０  固定部材
４１  軸
４２  延長部
４４  ベント部分
４５  固定ボス
４６  テーパー
５０  側面
６０  ベント部
６２  薄肉部
８１  止水栓
８２  継手接続管
８３  ネジ部
８４  ネジ部
【図１】
2006029411.tif 000003
【図２】
2006029411.tif 000004
【図３】
2006029411.tif 000005
【図４】
2006029411.tif 000006
【図５】
2006029411.tif 000007
【図６】
2006029411.tif 000008
【図７】
2006029411.tif 000009
【図８】
2006029411.tif 000010
【図９】
2006029411.tif 000011
【図１０】
2006029411.tif 000012
【図１１】
2006029411.tif 000013
【図１２】
2006029411.tif 000014
【図１３】
2006029411.tif 000015
【図１４】
2006029411.tif 000016
【図１５】
2006029411.tif 000017
【図１６】
2006029411.tif 000018
【図１７】
2006029411.tif 000019
【図１８】
2006029411.tif 000020
【図１９】
2006029411.tif 000021
【図２０】
2006029411.tif 000022
【図２１】
2006029411.tif 000023
【図２２】
2006029411.tif 000024
【図２３】
2006029411.tif 000025
【図２４】
2006029411.tif 000026
【図２５】
2006029411.tif 000027
【図２６】
2006029411.tif 000028
【図２７】
2006029411.tif 000029
【図２８】
2006029411.tif 000030
【図２９】
2006029411.tif 000031
【図３０】
2006029411.tif 000032
【図３１】
2006029411.tif 000033
【図３２】
2006029411.tif 000034
【図３３】
2006029411.tif 000035
【図３４】
2006029411.tif 000036
【図３５】
2006029411.tif 000037
【図３６】
2006029411.tif 000038
【図３７】
2006029411.tif 000039
【図３８】
2006029411.tif 000040
【図３９】
2006029411.tif 000041
【図４０】
2006029411.tif 000042
【図４１】
2006029411.tif 000043
【図４２】
2006029411.tif 000044
【図４３】
2006029411.tif 000045
【図４４】
2006029411.tif 000046